(57)【特許請求の範囲】
【請求項１】
レールに走行自由に滑合するランナ部材と、ランナ部材から垂下する吊杆と、上下調整部材及び前後調整部材を内蔵する機構枠体と、前後調整部材の動作を上下調整部材に伝達する連動部材と、上下調整部材を操作する第１調整ネジ及び前後調整部材を操作する第２調整ネジと、機構枠体を戸板の装着部に装着格納する格納ケースとからなり、
前記上下調整部材は前記吊杆の前後の面を上下斜めに横切り、吊杆から突出する軸体を滑合して吊杆を上下に誘導する傾斜案内溝と、水平方向に長さを有し、前記機構枠体内に横架する支持軸に滑合して左右方向に摺動自由に支持する水平長孔とを有し、また前記前後調整部材は水平板部に前後方向に向けて傾斜する傾斜案内溝を形成して該傾斜案内溝に前記連動部材の下部を滑合し連結すると共に、該連動部材は前記機構枠体内に横架する支持軸に前後摺動自由に軸承し、且つ上部を前記上下調整部材に滑合して前記前後調整部材と上下調整部材間に介挿し、その一方前記第１、第２の調整ネジのそれぞれを前記機構枠体の側面板に各回転自由に軸承してそれぞれのネジ軸部を機構枠体内部に挿通し、第１調整ネジの捻回操作により前記上下調整部材を左右方向に摺動操作して前記傾斜案内溝を介して吊杆を上下調整移動させ、また第２調整ネジの捻回操作により、前記前後調整部材を左右方向に摺動操作し、水平板部の傾斜案内溝に滑合する前記連動部材を前後方向に移動させ、連結する前記上下調整部材の前後方向の移動を介して前記吊杆を前記機構枠体に対して前後に移動調整するようにした引戸ランナ装置。
【発明の詳細な説明】
【技術分野】
【０００１】
本発明は、引戸をレールに沿って誘導支持するランナ装置に関する。
【背景技術】
【０００２】
ランナ装置は、鴨居に沿って付設するガイドレールに滑合させて引戸をこのレールに沿って開閉自由に吊設誘導するものであり、一般には建物の開口部に引戸を建付けるとき、開口部に対して引戸の収まり具合をこのランナ装置によって微調整し、スムーズな開閉動作や引戸と建物の壁体、或は引戸相互の間隔調整を行っている。
【０００３】
このランナ装置による調整は引戸の吊設高さを調整し、ガイドレールとの間隔、敷居や床との間隔を調整する上下方向の調整と、開口部に対する出入方向及び引戸相互の間隔を調整する前後方向の調整とがあり、従来提供されているランナ装置にあってはこの２方向の調整が可能になっている。
【０００４】
この上下及び前後方向の調整は、引戸を吊設支持する吊杆を対象にして行われているのが普通であり、通常はレールに滑合する車輪付きランナ部材から垂下する吊杆を基にして引戸を上下させ、或は前後に移動させて調整する方法が採られている。
この調整方法は多くのランナ装置において採用されているが、その一例を挙げるならば特許文献１、２に記載される発明がそれである。
【０００５】
【特許文献１】特許第３３５９２９６号公報
【特許文献２】特許第３３８３６０６号公報
【発明の開示】
【発明が解決しようとする課題】
【０００６】
特許文献１のランナ装置は、ガイド部材３、つまりランナ部材から垂下する支軸４、つまり吊杆に対して前後方向の調整をする前後位置調整機構６のスライダ６１に形成する案内溝６３を滑合させ、上記スライダ６１を左右方向に移動操作することで上記吊杆となる支軸４を前後方向に移動調整できるようにしている。その一方上記支軸４に植設する水平なピン５を上下位置調整機構７の上下方向に傾斜する案内溝７３に滑合させてスライダ７１の左右方向の移動操作を通してピン５を上下に移動させ、支軸４を上下にさせる構造になっている。
つまり、ここでは独立した２つのスライダ６１、７１を支軸４に対して共に滑合させる構造にしてあり、それぞれのスライダ６１、７１を個々に移動操作することで、支軸４を上下に、また前後に移動調整できるものにしてある。
【０００７】
これに対し、特許文献２に記載される発明は、ランナ部材６から垂下する平板状の連結部材４（吊杆）に上下方向に対して傾斜して形成するガイド長孔４０に上下調整スライダ７の水平なピン９を滑合させ、スライダ７を左右方向に移動させることで上下の調整を行う一方、前記連結部材４に前後調整スライダ６のスリット孔６Aを滑合させ、スライダ６を前後調整ネジ８で押える位置を変えることで前後位置を調整する構造になっている。
つまり、上下調整スライダ７はネジ１０の捻回操作で連結部材４（吊杆）の上下を調整するのに対して、前後調整スライダ６は前後調整ネジ８を緩め、スライダ６を移動して連結部材４の位置を調整したのちネジ８を締付けて前後の調整を行うものとなっている。
【０００８】
これら従来のランナ装置は、吊杆（支軸乃至連結部材）を対象に操作することで、上下と前後の位置調整を行うものとなっているが、特許文献１におけるランナ装置は支軸４に対して上下位置調整機構のスライダ６１と前後位置調整機構のスライダ７１のそれぞれの案内溝６３、７３を共に滑合させる構造にしていることから一方の調整操作を行う際、他方のスライダによってこの調整操作が妨げられることのないように他方のスライダとの間には所定の予裕が設けられている。つまり、上記各位置調整機構のスライダ６１とスライダ７１とは支軸４に対して異なる方向への移動調整を働き掛けるものとなっていることから、それぞれの調整に対する妨げとならないための予裕が案内溝６３、７３には設けられている。
【０００９】
このため特許文献１のランナ装置は、案内溝６３、７３に設けられる予裕部分によって支軸４がグラ付く問題があり、使用時の安定性に欠ける問題があった。
その一方、前記特許文献２に記載のランナ装置においてはネジ１０の捻回操作により上下調整スライダ７を介して連結部材４の調整操作が直接できるのに対して、前後方向の調整操作はネジ８の捻回操作で行うことができず、このネジ８は移動調整を行った後、前後調整スライダ６を止め付け移動位置を固定しておくだけのものとなっており、この点前後の移動調整に不便を生ずるものとなっている。
【課題を解決するための手段】
【００１０】
本発明は、上述従来のランナ装置における問題に鑑み、調整ネジの捻回操作によって上下及び前後の位置調整を図ることができるようにすると同時に、上下、前後の２方向の調整を行うに当って他方の調整に干渉することなく独立し、且つ個々に安定した調整を可能にして使用時にランナ装置自体にガタを生ずることのないようにした改善されたランナ装置を提供することにある。
【００１１】
調整ネジをドライバー等の工具により捻回操作することで引戸の高さや前後の位置を調整できるランナ装置は使い勝手がよく、調整作業が容易であるが、ランナ部材から垂下する支軸に上下及び前後の調整機構を直接関係付けてその調整を行う機構を採用すると、前記特許文献１について述べたように一方の調整操作時に他方の調整機構による拘束を受けないようにするため、空間的な予裕を設ける必要があり、これによってガタを余儀なくされるが、本発明はこの改善を図ったことにある。
【００１２】
また、本発明は前記支軸、つまり吊杆に対して２本の調整ネジを個々に操作することによって、上下に、また前後に位置調整を行えるようにして使用状態のまま調整操作ができるようにしたランナ装置を提供することにある。
【００１３】
本発明は、上記目的を達成するため、レールに滑合する車輪を主体にして引戸を走行移動させるランナ部材から垂下する吊杆に対して上下調整部材についてはこの吊杆に直接関係付けて、この上下調整部材を調整ネジの捻回操作によって上下移動調整することを通して、引戸の高さを調整する一方、前後調整部材は上記吊杆ではなく上記上下調整部材に対して関係付けるようにしてこの前後調整部材を調整ネジの捻回操作によって前後方向に移動調整することによって上下調整部材、そしてこれに結合する吊杆の位置を基準にして前後に移動させ、その結果、引戸を前後に移動調整するようにしたことにある。
【００１４】
上記本発明を更に詳述すると、本発明ランナ装置は、レールに走行自由に滑合するランナ部材と、ランナ部材から垂下する吊杆と、上下調整部材及び前後調整部材を内蔵する機構枠体と、前後調整部材の動作を上下調整部材に伝達する連動部材と、上下調整部材を操作する第１調整ネジ及び前後調整部材を操作する第２調整ネジと、機構枠体を戸板の装着部に装着格納する格納ケースとからなり、前記上下調整部材は前記吊杆の前後の面を上下斜めに横切り、吊杆から突出する軸体を滑合して吊杆を上下に誘導する傾斜案内溝と、水平方向に長さを有し、前記機構枠体内に横架する支持軸に滑合して左右方向に摺動自由に支持する水平長孔とを有し、また前記前後調整部材は水平板部に前後方向に向けて傾斜する傾斜案内溝を形成して該傾斜案内溝に前記連動部材の下部を滑合し連結すると共に、該連動部材は前記機構枠体内に横架する支持軸に前後摺動自由に軸承し、且つ上部を前記上下調整部材に滑合して前記前後調整部材と上下調整部材間に介挿し、その一方前記第１、第２の調整ネジのそれぞれを前記機構枠体の側面板に各回転自由に軸承してそれぞれのネジ軸部を機構枠体内部に挿通し、第１調整ネジの捻回操作により前記上下調整部材を左右方向に摺動操作して前記傾斜案内溝を介して吊杆を上下調整移動させ、また第２調整ネジの捻回操作により、前記前後調整部材を左右方向に摺動操作し、水平板部の傾斜案内溝に滑合する前記連動部材を前後方向に移動させ、連結する前記上下調整部材の前後方向の移動を介して前記吊杆を前記機構枠体に対して前後に移動調整するようにしたことにある。
【００１５】
本発明ランナ装置は、引戸の上部端面部に形成する切欠き凹部に格納ケースを嵌合固定しておき、この格納ケースと機構枠体を着脱自由に嵌合することによって引戸に組付けられるもので、この組付けにおいて格納ケースの上部から突き出す吊杆の上部に設けられるランナ部材を鴨居に付設するレールに滑合することで引戸を吊設した状態に建付け、レールに沿って走行させることで引戸の開閉を行うことができる。
【００１６】
上下調整部材及び前後調整部材を調整する第１、第２の調整ネジは機構枠体の側面を塞ぐ側面板の表面に頭部を露出して引戸の端面側に臨み、これによって格納ケースに装着したまま、つまり本発明ランナ装置を使用した状態において調整操作ができるものとなり、しかも個別に調整できるものとなっている。
【００１７】
第１の調整ネジを捻回操作すると、ネジ軸の回転に伴って上下調整部材が支持軸をガイドにして左右水平方向に摺動し、この摺動に伴って傾斜案内溝が左右に移動するため、この傾斜案内溝に滑合した吊杆の軸体が傾斜に沿って強制的に移動させられ、これにより上下方向にのみ移動が可能となる吊杆が上又は下に向けて移動することとなり、収納ケースに対して上下に伸縮して、上下方向、つまり高さ位置が変更されることになる。
【００１８】
その一方、第２の調整ネジを捻回操作すると、そのネジ軸の回転によりこれに螺合する前後調整部材が左右水平方向に摺動し、その水平板部に形成する傾斜案内溝に滑合する連動部材が前後傾斜方向に誘導されることになる。
上記連動部材は機構枠体に横架する支持軸に摺動自由に支えられて前後方向にのみ移動が自由になっていることから前記傾斜案内溝の誘導によって前後に強制移動させられ、この動きを前記上下調整部材に伝え、更にこの上下調整部材に滑合して連結する前記吊杆に伝えることからランナ部材から垂下し位置を固定しているこの吊杆を基準にして収納ケースを前後方向に移動させることになる。
【００１９】
つまり、前記第１調整ネジの捻回操作によって上下調整部材を水平方向に移動調整することを通して直接吊杆を上下に移動させ、その結果機構枠体、更には格納ケースを上下させて引戸の高さを調整することになる一方、第２調整ネジの捻回操作によって前後調整部材を左右水平方向に移動させると、連動部材を傾斜案内溝を介して前後方向に移動させ、この移動を係合関係にある前記上下調整部材に伝え、更に吊杆に伝えてこの吊杆を前後に移動させる結果、この吊杆に対して逆に機構枠体が前後の位置を変更することになるため格納ケースと共に引戸を前後方向に位置を移動させることになり、前後位置の調整が行われることになるのである。
【００２０】
上記の構成から第１及び第２の調整ネジを捻回操作することによってそれぞれ上下調整部材、前後調整部材を個別に操作してランナ部材からの吊杆を上下に、又前後に移動調整することができると同時に、吊杆の上下調整操作においては傾斜案内溝を介して上下調整部材が直接的に吊杆を上下方向に誘導するのに対して、吊杆の前後調整操作においては前後調整部材の傾斜案内溝に連動部材を滑合させ、この連動部材を傾斜案内溝の誘導によって前後に移動させ、これに伴わせて前記上下調整部材にこの前後の動きを伝達し、更にこの上下調整部材に滑合する吊杆を前後に移動調整する構成を採って前後調整部材の調整移動を連動部材を介して間接的に上下調整部材に伝えることから吊杆の軸体が滑合する上下調整部材に形成される傾斜案内溝にはこの軸体が上下方向にのみ誘導できる長孔であればよいことになる。
【００２１】
その一方、前後調整部材に形成される傾斜案内溝には連動部材のみが滑合し、この前後調整部材の水平方向の摺動によって前後に移動するとき、単独で傾斜案内溝に沿って移動し、この移動を一方的に上下調整部材に伝達するのみで上下調整部材からの誘導を受けない構造となっていることから上記傾斜案内溝には溝の長さ方向にのみ案内できるものであればよいものとなっている。
【発明の効果】
【００２２】
従って、本発明ランナ装置によれば、機構枠体の側面に露出する第１、第２の調整ネジを捻回操作することによって上下調整部材、前後調整部材を個別に作動させ、吊杆を上下に、又前後に移動調整してレールから吊設した引戸の高さ位置及び前後位置を自由に調整することができることになる。その一方、ランナ部材から垂下する吊杆に対して機構枠体は上下調整部材を介して連結すると共に、この上下調整部材に形成する傾斜案内溝に沿っての移動のみとなることからこの傾斜案内溝とこれに滑合する吊杆の軸体との間にこの移動を許す間隔が確保されれば上下の移動が可能であり、前後調整部材との間に吊杆の移動のための空隙等を必要としないためガタ付きのない組立が可能であり、高い精度を以て調整できるものとなる。
【発明を実施するための最良の形態】
【００２３】
次に本発明に係るランナ装置を図示する一実施形態につき説明する。図１は使用状態における一部断面とした正面図、図２は一部断面とした右側面図、図３は一部断面とした装着前の正面図、図４は要部の分解斜視図である。
図面において符号１は本発明に係るランナ装置であり、２はランナ装置１によって鴨居３に付設するレール４に吊設状に支持される引戸である。
【００２４】
ランナ装置１はレール４に車軸５を滑合させ長さ方向に走行自由なランナ部材６と、このランナ部材６から垂設される吊杆７と、吊杆７に対して上下方向及び前後方向に移動して前記引戸２の高さ位置及び前後位置を調整する機構枠体８と、この機構枠体８に内蔵されて機構枠体を吊杆７に対して上下に移動調整する上下調整部材９と、前後に移動調整する前後調整部材１０、及びこの前後調整部材１０の前後の移動を前記上下調整部材９に伝えて、この部材を介して前記吊杆７に対して前後に位置移動させる連動部材１１とを備える。
【００２５】
ランナ部材６は、軸承枠１２の左右に各前後一対宛の車輪５を回動自由に軸承し、これらの車輪をレール４の前後の片から内側に向けて折り返し設ける滑合部４ａ、４ａに滑合させて長さ方向に自由に走行できるようにしてあり、左右の車輪相互の中間位置に前記吊杆７を垂設する。
吊杆７は上端部に設ける膨径した頭部７ａを軸承枠１２に回転自由に軸承させて、これより垂下し、頭部７ａより下方の軸部７ｂを平板状に潰して前後に平面部を向けるようにしてある。
【００２６】
機構枠体８は、ここでは浅い矩形の箱形に形成される基枠８ａと、開口部を塞ぐ形で組合せになる蓋枠８ｂから構成してあり、基枠８ａの底に当たる一面を後面板１３とし、蓋枠８ｂの一面を前面板１４としている。
【００２７】
上下調整部材９、前後調整部材１０、これら２つの部材９、１０を連結する連動部材１１は前記基枠８ａと蓋枠８ｂを抱き合わせることによって框形に組まれる機構枠体８の内部に収容されるもので、これらについて詳述する。
【００２８】
上下調整部材９は、図４に示したように金属板をコ字形に２つ折りにした前後の板９ａ、９ｂを有し、この２枚の板に対称状に水平方向に長さを有する２つの水平長孔１５、１６を上下並行するように形成してあり、更にこれら上下に、そして左右に位置をずらして形成される水平長孔１５、１６の中間位置に左下りに傾斜する傾斜案内溝１７を形成してある。
この上下調整部材９は、前記機構枠体８の後面板１３と前面板１４間に水平に横設する２本の支持軸１８、１９を上記水平長孔１５、１６に滑合することによって支持され、上記傾斜案内溝１７に吊杆７の軸部７ｂに植設する軸体２０を滑合することによってこの吊杆７と関係を持つようにしてある。
【００２９】
上記水平長孔１５、１６は上下調整部材９の左右方向の移動を誘導するもので、この移動を自由にするため充分な長さが用意されている。
その一方、傾斜案内溝１７は上下調整部材９の左右方向への移動により左右に位置を移動するのを利用してこれに滑合する軸体２０を上下方向に移動させ、吊杆７を上下させるもので、この案内溝１７の上端と下端間の長さは吊杆７の上下動の範囲、つまりこの吊杆７に対する機構枠体８の上下の幅になっている。
【００３０】
尚、ランナ部材６から垂下した吊杆７は、軸部７ｂを機構枠体８の基枠８ａの上面板に開設する穴２１を貫通し、上下調整部材９の前後の板９ａ、９ｂの間に差し入れて軸部７ｂから突き出す軸体２０を傾斜案内溝１７に滑合させてあり、上下調整部材９が左右方向に移動すると軸体２０は傾斜に誘導されて上又は下に向けて移動し、これに伴わせて吊杆７を上下させることになる。
【００３１】
図中、２２は上記上下調整部材９を操作するための第１の調整ネジである。この調整ネジ２２は機構枠体８の基枠８ａの側面板２３に形成する切欠き部２４にネジ軸２２ａの頸部２２ｂを滑合させて回転自由に保持され、側面板２３の外に露出する頭部２２ｃを回転操作することによってネジ軸２２ａを回転し、このネジ軸２２ａに螺合するネジ受板２５を左右方向に前進後退するようにしてある。
【００３２】
上記ネジ受板２５は角形の板状に形成してあり、前記上下調整部材９の左端（図面において）に形成する切込み部２６に係合する。
切込み部２６は、前後の板９ａ、９ｂの上縁部を前後方向に横切って縦向けに切込み形成したもので、ネジ受板２５は板の下半部を上から嵌め込み、この切込みの中で前後方向に自由に移動ができるようにしてある。
【００３３】
従って、上記の構成から機構枠体８の外に露出する第１調整ネジ２２の頭部２２ｃに適宜の工具を掛けて捻回すると、ネジ軸２２ａに螺合したネジ受板２５が前進、後退し、これに伴って上下調整部材９が水平長孔１５、１６が滑合する支持軸１８、１９をガイドに左右方向に摺動することになる。そして、この摺動に伴って傾斜案内溝１７が左右に移動するため、これに滑合する軸体２０が案内溝１７の傾斜に従って、つまり上下調整部材９が左方に移動した場合（図５を参照）、上昇方向に移動して上下調整部材９を引き下げ、右方に移動した場合（図６を参照）、上下調整部材９を押し上げることになる。
【００３４】
一方、前後調整部材１０は金属板片をＬ字形に曲成して水平板部１０ａとネジ受板部１０ｂとを設け、水平板部１０ａには長さ方向（図５（ｃ）においては左右方向）に向けて傾斜する案内溝２７を形成し、ネジ受片部１０ｂには第２調整ネジ２８を螺合するネジ孔２９を形成する。
【００３５】
上記第２調整ネジ２８は、第１調整ネジ２２と同様に機構枠体８の側面板２３に形成する切欠き部２４の下方に形成する切り欠き部３０に頸部２８ｂを滑合させてネジ軸部２８ａを機構枠体内部に突き入れる一方、頭部２８ｃを側面板２３の外に露出させて外部からの操作によって自由に捻回操作できるようにしてある。
【００３６】
前記前後調整部材１０は、上記ネジ受片部１０ｂのネジ孔２９に第２の調整ネジ２８のネジ軸部２８ａをねじ入れることで支持される一方、前記水平板部１０ａの前後の縁部に張出し形成する突片３１、３１を機構枠体８の前後の面板１３、１４に形成するスリット状のガイド孔３２、３２に滑合させることで水平姿勢に保持され、このガイド孔３２、３２を案内に左右方向に摺動するようにしてある。
【００３７】
連動部材１１は金属板を打抜いて略クランク状に形成してあり、上部１１ａと下部１１ｂに開設する透孔３３、３３に機構枠体８の前後の面板１３、１４間に横架する支持軸３４、３４を貫通状に滑合することによってこの支持軸３４、３４の軸方向、即ち機構枠体８の内部にあって前後方向に移動が自由となるよう支持されている。
【００３８】
この連動部材１１は上下の中間部に滑合頸部１１ｃを形成して、この頸部を前後調整部材１０の水平板部１０ａに形成する前記傾斜案内溝２７に滑合させてあり、この滑合によって前後調整部材１０と連結する一方、上部１１ａを上下調整部材９を構成する前後の板９ａ、９ｂ間の空間部３５に突き入れ係合させることによってこの上下調整部材９と連結し、この結果この連動部材１１は前後調整部材１０と上下調整部材９との間に渡り、前後調整部材１０の動作を上下調整部材９に伝達することができるようになっている。
【００３９】
上記の関係を更に説明すると、前後調整部材１０を操作する第２調整ネジ２８をその頭部２８ｃにドライバー等の工具を掛けて捻回操作すると、回転方向に従ってそのネジ軸部２８ａに螺合するネジ受片部１０ｂのネジ孔２９が移動し、水平板部１０ａは突片３１、３１とガイド孔３２、３２の誘導によって左右水平方向に移動することになる。そして、この移動に伴って水平板部１０ａの傾斜案内溝２７が移動することになるため、これに頸部１１ｃを滑合させた連動部材１１は上記案内溝２７の傾斜方向に従って強制的に移動させられ、前後方向に位置を移動することになる。
【００４０】
上記連動部材１１は支持軸３４、３４に支持されて前後方向には移動が可能であるが、前後調整部材１０に従ってその進退方向、つまり左右方向には移動ができないことから傾斜案内溝２７に頸部１１ｃを貫通滑合させたこの連動部材１１は傾斜案内溝２７の傾斜に誘導されて前後方向にのみ移動することになる。
そして、この前後の移動は連動部材１１の上部１１ａが上下調整部材９の空間部３５に係合して前後の板９ａ、９ｂのいずれかを内側から押出すことからこの上下調整部材９を前後方向に移動させることになり、吊杆７を前後方向に移動させることになる。
【００４１】
機構枠体８を形成する蓋枠８ｂは、前面板１４の左右の縁部から左右の側面板３６，３７を延設してコ字形に形成してあり、右側面板３７には前記側面板２３に形成した切欠き部２４、３０に対応した位置に第１、第２の調整ネジ２２、２８を通す切欠き部３８、３９を形成している。
この蓋枠８ｂは、上下調整部材９の水平長孔１５、１６に貫通する支持軸１８、１９の軸端を受ける軸受孔４０、４１と、連動部材１１の透孔３３、３３に貫通する支持軸３４、３４の軸端を受ける軸受孔４２、４３、そして上下調整部材９の傾斜案内溝１７に滑合する吊杆７の軸体２０の軸端を滑合し上下方向に誘導するスリット状の上下誘導溝４４を形成している。
【００４２】
一方、上記蓋枠８ｂと組合う基枠８ａは蓋枠８ｂと略対象形に形成してあり、側面板２３とこれに対向する一方の側面板４５との間に前記蓋枠８ｂの左右の側面板３６、３７を受け入れる間隔を持たせてあり、両枠体８ａ、８ｂの抱き合せを可能にすると同時に、後面板１３には蓋枠８ｂの前面板１４に形成したと同一の支持軸１８、１９、３４の軸端を受ける軸受孔４０、４１、４２、４３と、軸体２０の軸端を滑合する上下誘導溝４４とを対称状に形成している。
【００４３】
機構枠体８の組立ては、上下調整部材９、前後調整部材１０、連動部材１１及び吊杆７の組合せに関連させて行うことになる。尚、次に説明する組立の手順は一例であってこの手順に拘束されるものでないことは言うまでもない。
組立の一例として、先ずランナ部材６から垂下した吊杆７を上下調整部材９の空間部３５に差し入れ、前後の板９ａ、９ｂに形成する傾斜案内溝１７に通す軸体２０を吊杆７に穿つ透孔４６に貫通させて吊杆７と上下調整部材９との組付けを行い、一方前後調整部材１０の傾斜案内溝２７に連動部材１１を挿し通してその頸部１１ｃをこの案内溝２７に滑合させて両部材を組合せ、そうした後、連動部材１１の上部１１ａを上下調整部材９の空間部３５に差し入れ、これに併せて前後調整部材１０を上下調整部材９の下に添わせて３者の関係を作ったのち、この組立関係を保って機構枠体８の基枠８ａの内部に収める。
【００４４】
次に、上下調整部材９の切欠き部２６にネジ受板２５を滑合し、側面板２３の切欠き部２４を通して差し入れる第１調整ネジ２２を螺合してその組付けを行う一方、側面板２３の下方の切欠き部３０を通して差し入れる第２調整ネジ２８を前後調整部材１０のネジ孔２９にねじ入れて組付ける。
【００４５】
この様にして基枠８ａの内部に上下及び前後の調整部材８、９、連動部材１０を組み入れたのち、各部材の孔部に支持軸１８、１９、３４を前述したように貫通状に挿通して各軸端を後面板１３に形成する軸受孔４０〜４３に嵌入し軸承させると共に、前後調整部材１０の突片３１をガイド孔３２に滑合させて組み合せを行う。
この組付けを行ったのち、開放する基枠８ａの前面を被うように蓋枠８ｂを添わせ、左右の側面板３６、３７を基枠８ａの側面板２３、４５の内側に差し入れて合体させ、同時に側面板３７に形成する切欠き部３８、３９を第１、第２調整ネジ２２、２８の頸部２２ｂ、２８ｂに嵌め付けて基枠側の切欠き部２４、３０との間に挟んでこの第１、第２の調整ネジ２２、２８を回転自由に保持する。
【００４６】
この基枠８ａと蓋枠８ｂとの抱き合せに当って前面側に突き出しする支持軸１８、１９、３４の各軸端を蓋枠８ｂに形成する軸受孔４０〜４３に突き入れて軸承させ、これらの支持軸１８、１９、３４を両枠体間に横架支持すると同時に、前後調整部材１０の突片３１、３１をガイド孔３２、３２に滑合させることになる。
【００４７】
この機構枠体８の組立を通して各部材の組込みを完了したのち、側面板３７の外表面にプラスチック製の化粧板４７を添わせ、透孔４８、４９に調整ネジ２２、２８の頭部２２ｃ、２８ｃを収める一方、基枠８ａ及び蓋枠８ｂの縁部から突出させた矢形の係合片５０、５０を背面側に形成する溝５１、５１に圧入してこれを固定する。
【００４８】
図中、５２は本発明ランナ装置を引戸２に装着する格納ケースであり、５３は格納ケース５２を収めるため引戸２の端面上端部に切欠き形成した装着部である。
格納ケース５２は金属板をＵ字状に折り曲げ、左右の一面を奥壁５４で塞いで筐形に形成し、奥壁５４に止めネジ５５、５５を通す透孔５６、５６を穿っている。そして、底面部には下端を支えるＵ字形の脚５７、５７を延設して一方の脚に止めネジ５５を通す透孔５６を穿ち、上部は開放して吊杆７の侵入を可能にしてある。
尚、上記開放される格納ケース５２の開口部には前後の板部から内側に向けて突片５８、５８が突設し、機構枠体８の脱出が防止されるようにしてある。
【００４９】
上記格納ケース５２は、引戸２の装着部５３に嵌め入れたのち、止めネジ５５をそれぞれの透孔５６に通してネジ付けることで固定され、前記組立を完了した機構枠体８を受け入れてその装着が行われる。
【００５０】
図中、５９は上記機構枠体８を格納ケース５２にロックするためのネジ杆であり、機構枠体８の側面板２３、３７の下部に形成する切欠き部６０、６１を通して機構枠体８の下部を左右に横切るように侵入させ、軸の支端部に装着する半月形の係止駒６２を機構枠体８の底部に切込み形成する溝６３に係合させ、同時に格納ケース５２の底面部に設ける係止部６４に掛止めることで機構枠体８を格納ケース５２に装着することができることになる。
【００５１】
上記機構枠体８は必要があって格納ケース５２から外す場合は、ネジ杆５９の頭部５９ａをドライバー等で半回転させ、係止部６４に掛止めた係止駒６２を上向きにすることで係合を外すことができることからそのまま格納ケース５３に対して（図面上）左右に引き出せば装着状態を解除することができ、更に止めネジ５５を外せばこの格納ケース５２を引戸２から外すことができる。
【００５２】
本発明ランナ装置は上述の様に構成されることから、引戸２の装着部５３に装着してランナ部材６をレール４に滑合させた状態においては車輪５を回転走行させることによって円滑に引戸２を開閉移動させることができることになる。
そして、この装着状態において引戸２が下端を床面に擦って開閉動に支障を帰す等障害を起こした場合は、第１の調整ネジ２２をドライバーで捻回操作し、上下調整部材９を手前に向けて（図面において右方に向けて）引出すと（図６を参照）、この移動に伴って傾斜案内溝１７に滑合した軸体２０が案内溝の下端に向けて移動することから上下調整部材９は吊杆７に対して上昇することになり、装置全体を引き上げて引戸２を上昇させることになり、床面との接触を回避することができる。
【００５３】
このとき、上下調整部材９は支持軸１８、１９に滑合する水平長孔１５、１６をガイドに左右水平方向に移動し、傾斜案内溝１７に沿っての上昇が行われることになる。
尚、引戸２を下降させる場合は、上記とは逆に第１調整ネジ２２を逆方向に回転させてネジ受板２５を押出し、上下調整部材９を奥（図面において左方）に移動させれば、軸体２０が傾斜案内溝１７の上端に向けて移動することになることから機構枠体８ともども下降し（図５を参照）、引戸２を下げることができる。
【００５４】
一方、レール４に吊設した引戸２が前後に位置をずらした他の引戸と擦れ合ったり、塵との接触が生じた場合には第２調整ネジ２８を調整すれば、容易に前後に位置移動させて擦れ合い、接触を解消することができる。
例えば、引戸２を前方に移動させる場合は、第２調整ネジ２８を捻回して前後調整部材１０を奥に向けて（図面において左方に）押出せば、傾斜案内溝２７に滑合する連動部材１１の頸部１１ｃがこの案内溝２７の中を後方に向けて強制的に移動させられることから、この連動部材１１に滑合連結させた前記上下調整部材９が吊杆７を伴って後方に向けて強制移動させられ、その結果、反比例的に機構枠体８は前後調整部材１０と共に前方に向けて移動し（図５（ｃ）を参照）、引戸２を前方に位置移動させることができる。
【００５５】
尚、このとき前後調整部材１０は、機構枠体８の前後の面板８ａ、８ｂに挟まれて機構枠体８と一体となっているが、連動部材１１は支持軸３４、３４をガイドに機構枠体８の内部で前方に移動し、またこれに連結する上下調整部材９も支持軸１８、１９をガイドに前方に移動することになる。そして、この上下調整部材９の前方への移動において第１調整ネジ２２に螺合したネジ受板２５は切欠き部２６を前後方向に移動して上下調整部材９の前後の移動を許すようにしていることから第１調整ネジ２２によって調整移動される上下調整部材９の移動が拘束されることはない。
【００５６】
この様に本発明ランナ装置は、第１調整ネジ２２の捻回操作によって上下調整部材９を左右方向に移動させ、吊杆７を機構枠体８の内部で上下に動かし、これによってランナ部材６に対する機構枠体８を上下動させて引戸２の高さ調整を図ることができる一方、第２調整ネジ２８を捻回操作することで前後調整部材１０を左右方向に移動させ、この移動を通して傾斜案内溝２７に滑合する連動部材１１を前後方向に、更にこれに連結する前記上下調整部材９を前後に動かして吊杆７に対する機構枠体８を前後方向に移動調整できる構造としていることから、引戸２に装着した状態において自由に吊杆７に対する上下及び前後方向の位置調整を図ることができるものとなっている。
【００５７】
しかも、この上下、前後の移動調整は機構枠体８の側面に露出する第１、第２の調整ネジ２２、２８の捻回操作によって、引戸２を吊設支持した状態のままで行えることから最も適正な状態に、より簡単に行えることになる。
【００５８】
そして、特に本発明ランナ装置においては、機構枠体８を吊設支持する吊杆７に対して直接関係する部材を上下調整部材９のみとして、この上下調整部材９に形成する長孔の傾斜案内溝１７に吊杆７の軸体２０を滑合させ、これによって、移動の範囲をこの傾斜案内溝１７の中に限って前後方向への移動のため設けられる前後調整部材１０の傾斜案内溝２７に対しては吊杆７が直接関係することがないようにして、両傾斜案内溝１７、２７が吊杆７に同時に関係することによって生じるガタ付きを有効に解消しているのである。
【００５９】
従って、本発明ランナ装置によれば、使用時にガタ付きによって異音を発したりすることがなく静粛な使用が可能となる一方、第１、第２の調整ネジの操作によって正確な上下、前後の移動調整が可能となり、微調整作業も容易に行うことができる。
【図面の簡単な説明】
【００６０】
【図１】使用状態における一部断面とした拡大正面図である。
【図２】使用状態における拡大右側面図である。
【図３】引戸に対する装着前の一部断面とした拡大分解正面図である。
【図４】要部の分解斜視図である。
【図５】使用状態にあって機構枠体が下降位置にある場合の説明で、図（Ａ）は一部を省略した正面図、図（Ｂ）は図（Ａ）のＡ−Ａ線断面図、図Ｃは同じくＢ−Ｂ線断面図である。
【図６】使用状態にあって機構枠体が上昇位置にある場合の説明で、図（Ａ）は一部を省略した正面図、図（Ｂ）は図（Ａ）のＡ−Ａ線断面図、図Ｃは同じくＢ−Ｂ線断面図である。
【図７】機構枠体を格納ケースに固定するためのネジ杆を外した状態の一部欠如した分解拡大正面図である。
【符号の説明】
【００６１】
１              ランナ装置
２              引戸
４              レール
６              ランナ部材
７              吊杆
８              機構枠体
８ａ            機構枠体の基枠
８ｂ            機構枠体の蓋枠
９              上下調整部材
１０            前後調整部材
１０ａ          前後調整部材の水平板部
１１            連動部材
１１ａ          連動部材の上部
１１ｃ          連動部材の頸部
１３            機構枠体の後面板
１４            機構枠体の前面板
１５、１６      水平長孔
１７            傾斜案内溝
１８、１９      支持軸
２０            吊杆の軸体
２２            第１調整ネジ
２３            側面板
２４            切欠き部
２５            ネジ受板
２６            切込み部
２７            傾斜案内溝
２８            第２調整ネジ
３３            連動部材に形成した透孔
３４            支持軸
３５            上記調整部材の空間部
４０〜４３      軸受孔
４４            上下誘導溝
４６            吊杆の透孔
５２            格納ケース
５３            装着部
【図１】
0005069179.tif 000002
【図２】
0005069179.tif 000003
【図３】
0005069179.tif 000004
【図４】
0005069179.tif 000005
【図５】
0005069179.tif 000006
【図６】
0005069179.tif 000007
【図７】
0005069179.tif 000008